(57)【要約】本発明は、モバイルIP（Mobile IP） 方式に基づいて公衆無線ラン（Public Wireless LAN）とセルラー網が相互連動するようにしてローミングが円滑になされるようにする、公衆無線ランとセルラー網の間のローミング方法に関し、 セルラー網及び／または無線ランでのモバイルIP方式に基づきデータ通信するにおいて、前記セルラー網のパケットデータサービングノード420で、 特定移動端末機10に対するIPアドレスの割当てが認知されると、前記移動端末機10の現在サービス領域に属する無線ランのアクセスポイント管理装置520に、前記移動端末機10の現在接続状態に対する関連情報を通知する段階（S301-S312）； 前記アクセスポイント管理装置520で、前記移動端末機10が移動し自分520に接続されると（S313、S314）、自分の住所が前記パケットデータサービングノード420の住所に代替されるよう住所更新を要請し（S312）、その更新された結果に従うIP 住所を前記移動端末機に割り当てた後（S316）、これを前記パケットデータサービングノードに通知する段階（S317）；及び前記パケットデータサービングノード420で、前記アクセスポイント管理装置520からの前記通知メッセージ受信の時、前記移動によるローミングの間獲得したデータを前記アクセスポイント管理装置520に伝達する段階（S318）を含んで構成され、前記セルラー網から前記無線ランへのローミングが行われ、このような方法を応用すれば無線ランからセルラー網へのローミングもなされる。
2005527145.tif 000002
【特許請求の範囲】
【請求項１】
セルラー網及び／または無線ランでのモバイルIP方式に基づいたデータ通信において、
前記セルラー網のパケットデータサービングノードで、特定移動端末機に対するIP アドレスの割当てが認知されると、前記移動端末機の現在サービス領域に属する無線ランのアクセスポイント管理手段に、前記移動端末機の現在接続状態に対する関連情報を通知する第1段階；
前記アクセスポイント管理手段で、前記移動端末機が移動し自分に接続されると、自分の住所が前記パケットデータサービングノードの住所に代替されるよう住所更新を要請し、その更新された結果に従うIP 住所を前記移動端末機に割り当てた後、これを前記パケットデータサービングノードに通知する第2 段階；及び
前記パケットデータサービングノードで、前記アクセスポイント管理手段からの前記通知メッセージ受信の時、前記移動によるローミングの間獲得したデータを前記アクセスポイント管理ノードに伝達する第 3 段階を含んで構成され、前記セルラー網から前記無線ランへのローミングを行うことを特徴とする公衆無線ランとセルラー網の間のローミング方法。
【請求項２】
セルラー網及び／または無線ランでのモバイル IP 方式に基づいたデータ通信において、
前記無線ランのアクセスポイント管理手段で、特定移動端末機に対するIP アドレスの割当てが認知されると、前記移動端末機の現在サービス領域に属するセルラー網のパケットデータサービングノードに、前記移動端末機の現在接続状態に対する関連情報を通知する第1段階；
前記パケットデータサービングノードで、前記移動端末機が移動し自分に接続されると、自分の住所が前記アクセスポイント管理手段の住所に代替されるよう住所更新を要請し、その更新された結果に従うIP 住所を前記移動端末機に割り当てた後、その結果を前記アクセスポイント管理手段に通知する第2段階；及び
前記アクセスポイント管理手段で、前記パケットデータサービングノードからの前記通知メッセージ受信の時、前記移動によるローミングの間獲得したデータを前記パケットデータサービングノードに伝達する第 3段階を含んで構成され、前記無線ランから前記セルラー網へのローミングを行うことを特徴とする公衆無線ランとセルラー網の間のローミング方法。
【請求項３】
前記第1段階での前記通知メッセージは、該当プロトコルバージョンを示すバージョン情報とその長さ、該当メッセージの区別子を示す情報とその長さ、 該当パケットの長さを示す情報とその長さ、現在メッセージ伝送者の住所情報とその長さ、現在接続したクライアントマック（client MAC） 住所に対する情報とその住所の長さの情報、利用者のID 情報とその長さ、利用者のNAI情報とその長さ、利用者のパスワード情報とその長さ、シーケンスナンバーを示すシーケンスナンバー情報とその情報の長さ、及びその他の情報でなることを特徴とする請求項1又は請求項2に記載の公衆無線ランとセルラー網の間のローミング方法。
【請求項４】
前記第2段階での前記通知メッセージは、
該当プロトコルバージョンを示すバージョン情報とその長さ、該当メッセージの区別子を示す情報とその長さ、該当パケット長さの情報とその長さ、現在メッセージ伝送者の住所情報とその住所の長さ、コネクション登録に対する情報とその長さ、シーケンスナンバーを示すシーケンスナンバー情報とその情報の長さ、及びその他の情報でなることを特徴とする請求項1又は請求項2に記載の公衆無線ランとセルラー網の間のローミング方法。
【請求項５】
前記パケットデータサービングノード及び前記アクセスポイント管理手段は、 前記移動端末機の移動性支援のためモバイルIP 基盤の交換機能を行うことを特徴とする請求項1又は請求項2に記載の公衆無線ランとセルラー網の間のローミング方法。
【請求項６】
前記移動端末機は前記セルラー網と前記無線ランに全て接続することができるデュアルモード（Dual Mode） 端末機であり、モバイルIPスタックが具現されていることを特徴とする請求項1又は請求項2に記載の公衆無線ランとセルラー網の間のローミング方法。
【発明の詳細な説明】
【技術分野】
【０００１】
本発明は公衆無線ランとセルラー網の間のローミング方法に関し、より詳しくはモバイルIP（Mobile IP） 方式に基づき公衆無線ラン（Public Wireless LAN）とセルラー網が相互連動するようにしてローミングが円滑に行われるようにする、 公衆無線ランとセルラー網の間のローミング方法に関する。
【背景技術】
【０００２】
一般に、国内及び国外で無線ランは現在 2.4GHz帯域の周波数を用いて最大 11Mbpsの伝送率を有するIEEE 802.11b 標準を主としてサービスが拡散されている。使用者認証のため 802.1xが用いられており、保安のため802.11iとサービス品質（QoS）のための 802.11eなどの標準化も進んでいる。
【０００３】
ところが、アクセスポイント（Access Point : AP）が有するカバレッジの制約を克服してより融通性のあるサービスとなるためには、セルラー網との連動を考慮しなければならない。従って、現在国内を筆頭として世界的に拡散されている無線ランサービスの活性化と共に、セルラー網との連動方法が重要な問題となっている。
【０００４】
現在まで提案されている無線ランとセルラー網の間の連動のための一番有力な方法は、モバイル IPを利用する方法である。現在提案されたモバイルIPによる方法は、セッションが連結された状態で物理的階層だけ断絶されてから再び連結される方法であるが、現在のプロトコルによれば数秒の時間が所要される。
【０００５】
しかし、画像電話や音声通話のような実時間サービスを行うためには、切断及び再接続時間が可能であれば短縮されなければならない。即ち、相違する網間を端末が移動する時、端末に対する再認証及び再接続過程が可能であれば時間を短縮させることができる方法で行わなければならないため、これを考慮し既存方法より移動性支援のため要求される時間を短縮させることができる無線ランとセルラー網の間のローミング方法を具現するための研究が必要な実情である。
【発明の開示】
【０００６】
本発明は前記のような技術的背景で創作されたものであり、その目的は無線ランとセルラー網に全て接続可能なデュアルモード端末機が無線ランサービス領域からセルラーサービス領域へ、又はこれと反対に移動する時より速かにローミングが支援されるようにし、既存の方法よりローミングに必要な時間を短縮するようにすることにより実時間サービスにより適するローミングを支援するための、 公衆無線ランとセルラー網の間のローミング方法を提供しようとすることである。
【０００７】
本発明の他の目的は、データサービスは音声サービスと別にデータに対する実時間サービスよりはデータに対する損失がないよう提供されなければならないので、ローミングが行われる過程でできるだけデータ損失が防止できるようにする、公衆無線ランとセルラー網の間のローミング方法を提供しようとすることである。
【０００８】
即ち、本発明はデータの損失を最少化するだけでなく、ローミングに要求される時間を短縮させるようになった公衆無線ランとセルラー網の間のローミング方法を具現することをその目的とする。
【０００９】
前記のような目的を達成するため本発明に係る公衆無線ランとセルラー網の間のローミング方法で、セルラー網から無線ランへのローミング方法は、セルラー網及び／または無線ランでのモバイルIP 方式に基づいたデータ通信において、前記セルラー網のパケットデータサービングノードで、特定移動端末機に対するIPアドレスの割当てが認知されると、前記移動端末機の現在サービス領域に属する無線ランのアクセスポイント管理手段に、前記移動端末機の現在接続状態に対する関連情報を通知する第1段階； 前記アクセスポイント管理手段で、前記移動端末機が移動し自分に接続されると、自分の住所が前記パケットデータサービングノードの住所に代替されるよう住所更新を要請し、その更新された結果に従うIP 住所を前記移動端末機に割り当てた後、これを前記パケットデータサービングノードに通知する第2段階； 及び前記パケットデータサービングノードで、前記アクセスポイント管理手段からの前記通知メッセージ受信の時、前記移動によるローミングの間獲得したデータを前記アクセスポイント管理ノードに伝達する第3段階を含んで構成され、前記セルラー網から前記無線ランへのローミングが行われる。
【００１０】
前記のような目的を達成するため本発明に係る公衆無線ランとセルラー網の間のローミング方法で、無線ランからセルラー網へのローミング方法は、セルラー網及び／または無線ランでのモバイルIP方式に基づいたデータ通信において、前記無線ランのアクセスポイント管理手段で、特定移動端末機に対するIPアドレスの割当てが認知されると、前記移動端末機の現在サービス領域に属するセルラー網のパケットデータサービングノードに、前記移動端末機の現在接続状態に対する関連情報を通知する第1段階； 前記パケットデータサービングノードで、前記移動端末機が移動し自分に接続されると、自分の住所が前記アクセスポイント管理手段の住所に代替されるよう住所更新を要請し、 その更新された結果に従うIP住所を前記移動端末機に割り当てた後、その結果を前記アクセスポイント管理手段に通知する第2 段階； 及び前記アクセスポイント管理手段で、前記パケットデータサービングノードからの前記通知メッセージ受信の時、前記移動によるローミングの間獲得したデータを前記パケットデータサービングノードに伝達する第3 段階を含んで構成され、前記無線ランから前記セルラー網へのローミングが行われる。
【発明を実施するための最良の形態】
【００１１】
以下、添付の図を参照して本発明の好ましい実施例に係る公衆無線ランとセルラー網の間のローミング方法に対し詳しく説明する。
図1は、本発明の基盤となるモバイル IP方式の概念を説明するフロー図であり、同図でパケットデータサービングノード（PDSN1、PDSN2）110 : 111、112は CDMA 2000 1x 網としてのセルラー通信網内に具備されてパケットデータの交換機能を行うノードを示し； ホームエージェント（Home Agent : HA）120は前記通信網内に具備され前記 PDSN110を介した移動端末機11からの位置登録要請時の位置登録を行うが、複数個のIP住所資源を有し、その位置登録要請メッセージに基づき、前記PDSN110 及び該当移動端末機11の認識情報に連携してそのIP 住所を動的に割り当てると共に、その割り当てられたIP 住所の更新のための住所更新メッセージとしての住所登録要請メッセージ、 住所更新要請メッセージ及び住所削除要請メッセージを生成する位置登録手段を示し； ドメインネームサーバー（DNS）130は前記HA120からの前記住所更新メッセージ（即ち、住所登録要請メッセージ、住所更新要請メッセージ又は住所削除要請メッセージ）に基づいて該当移動端末機11に対し前記割り当てられた住所を登録、更新又は削除する住所管理手段を示す。
【００１２】
次いで、図 1のフロー図を参照しモバイルIPの概念を説明すれば次の通りである。
先ず、特定ホストネーム（以下、「han」と称する）を有する加入者移動端末機11が第 1パケットデータサービングノード（PDSN1）111を介して前記ホームエージェント（HA）120に位置登録を要請すれば（S201、S202）、前記ホームエージェント120は前記PDSN1 111から伝達された前記位置登録要請メッセージに基づいて自分が具備しているIP 住所資源のうち一つ（以下、ip1）を前記の該当端末機11に割り当て（S203）、その割り当てられたIP 住所資源 ip1を前記端末機11のホストネームである「han」及び前記現在接続された PDSN1 111の認識情報と共に相互連携して位置登録し（S204）、併せて前記位置登録メッセージに基づいて前記 han:ip1に対する IP住所の登録を前記ドメインネームサーバー（DNS）130側に要請し（S205）、前記DNS サーバー130はその要請に基づき「han:ip1」を登録する（S206）。
【００１３】
このように前記端末機11が前記 PDSN1 111に接続されて位置登録及び IP 住所資源が登録されていてから、移動して第 2パケットデータサービングノード（PDSN 2）112を介し前記ホームエージェント120に自分のホストネームである「han」と前記割り当てられたIP 住所である 「ip1」の情報と共に位置登録を要請すれば（S207、S208）、前記ホームエージェント120は前記PDSN2 112から伝達された前記位置登録要請メッセージに基づいて前記連携登録された 「han:ip1」の所属 PDSNが PDSN1 111から PDSN2 112に変更されたことを認識し、その「han:ip1」を前記 PDSN2 112の認識情報と共に連携し位置登録する（S209）。
【００１４】
前記ホームエージェント120は前述したように位置登録要請メッセージに基づいてIP 住所資源を割り当て、その割り当てられたIP 住所を登録してから、 その登録された 「han:ip1」に対する位置登録要請メッセージが受信されるのかを確認して未受信持続時間を起算し（S210）、その起算された未受信持続時間が既設定された時間を超過する場合（S211）、前記 DNS サーバー130に前記登録された「han:ip1」に対する削除を要請し（S212）、前記DNS サーバー130はその削除要請メッセージに基づいて前記登録された「han:ip1」登録情報を削除し（S213）、削除完了したことを前記ホームエージェント120に知らせて以後前記割り当てられた住所資源 ip1が動的に他の端末機に割り当てられるようにする（S214）。
【００１５】
図 2は、図 1のようにモバイル IPに基づいて動作するセルラー網と本発明に従い連動するための無線ランが独立的に動作する時の概念を説明するためのフロー図であり、同図で参照番号 12は無線ラン通信機能を有するノートーブックPC（Notebook PC）のような移動端末を示し、参照番号20は前記移動端末12と無線接続して通信するアクセスポイント（Access Point）を示し、参照番号 30は前記移動端末12のデータ通信時の認証及び課金のための認証／課金サーバーを示す。
【００１６】
先ず、前記移動端末12が前記アクセスポイント20に接続（association）された後（S251）、801.1xの認証手続きに従って前記認証／課金サーバー30を介した認証手続きを行う（S252）。ここで、802.1xは既存の方法でMD-5、 TLS、SRP、OTP 等の任意の方法でもあり得る。
【００１７】
前記の認証完了後、前記アクセスポイント20は前記認証／課金サーバー30に課金開始を知らせるメッセージ（Acc-Request（start））を伝送しその認証／課金サーバー30で課金を開始するようにすると共に（S253）、前記移動端末12に前記段階 S251での接続を終了する前までデータサービス（Data Service）を提供する（S254）。
【００１８】
図 3は、本発明の一実施例に係る公衆無線ランとセルラー網の間のローミング方法で、図 1のようなセルラー網から図 2のような無線ランへローミングする場合の網間相互連動方法を説明するフロー図である。
【００１９】
さらに、図 4は本発明の一実施例に係る公衆無線ランとセルラー網の間のローミング方法で、図 2のような無線ランから図1のようなセルラー網へローミングする場合の網間相互連動方法を説明するフロー図である。
【００２０】
図3 及び図4に係る本発明の実施例でセルラー網は CDMA 2000 1x 網を例として説明し、図3で基地局制御器（BSC）410、パケットデータサービングノード（PDSN）420 及びホームエージェント（HA）430は、図1で説明したようなセルラー網のノード等を示し、アクセスポイント（AP）510とアクセスポイント管理装置（APM）520は図 2で説明したような無線ランのノードを示すが、 前記アクセスポイント管理装置520は前記アクセスポイント510を管理し移動性を支援する機能を行うノードとして、前記パケットデータサービングノード420に対応する機能を有するよう前記無線ランに新たに具備され、認証／課金サーバー440は前記セルラー網と前記無線ランの使用者に対し認証及び課金を行うためのサーバーである。さらに、本発明に適用される移動端末機10は、図 1のセルラー網と図 2の無線ランに全て接続することができるデュアルモード（Dual Mode）端末機でなければならず、モバイルIPスタック（stack）が具現されていることを前提とする。さらに、前記パケットデータサービングノード420 及び前記アクセスポイント管理装置520は、前記移動端末機10の移動性支援のため各所属網でモバイルIP 基盤の交換機能を行うノードで動作する。
【００２１】
図3を参照しセルラー網から無線ランへのローミング方法を説明する。
先ず、セルラー網内に位置した移動端末機10は、基地局制御器（以下、BSCと記する）410とパケットデータサービングノード（以下、PDSNと記する）420を介しチャンネル及びアール−ピー（R-P）セットアップを行う。即ち、前記移動端末機10は前記BSC（以下、基地局を含むことを示す）410に接続して相互チャンネルセットアップを行い（CH setup）（S301）、前記チャンネルセットアップされたBSC 410は前記PDSN 420と相互R-Pセットアップを行うが（S302）、このような過程は周知の既存方法と同一である。
【００２２】
次いで、前記移動端末機10と前記PDSN 420は相互ポイントツーポイントプロトコル（Point-to-Point Protocol: PPP）認証を行い（S303）、これに伴い前記PDSN 420は前記ホームエージェント（以下、HAと称する）430 及び前記認証／課金サーバー（以下、AAAと称する）440に対し各々接続要請（Access-request）を行ってこれに対する応答（response）を受けることにより、前記 HA 430 及び前記AAA 440が関連機能を行うことができるようにする（S304）。 この手続きもまた周知の既存方法に従う。
【００２３】
次いで、前記移動端末機10に具備されたモバイルIP スタックは、IP 住所を割り当てられるための手続きを前記PDSN 420と相互行う。（MIP solicitation & advertisement）（S305）。
【００２４】
前記段階 S305のようにモバイル IPと関連したプロトコルを行った後、前記移動端末機10はエヌエーアイ（NAI: Network Access Identifier）値、アイディー（ID）、パスワード（Password）などを利用して前記 PDSN 420を介し前記HA 430側へ自分の位置登録を要請すれば（Registration Request）（S306、S307）、前記HA 430は前記 AAA 440にアクセス要請メッセージ（Access Request）を送って課金を開始するようにし（S308）、それに対する応答メッセージ（Access Response）を受ける（S309）。次いで、前記過程の結果として前記 AAA 440と前記 HA 430から使用者認証及びモバイルIP登録が成功的であれば、前記HA 430は前記段階 S306と S307に対する応答で前記 PDSN 420と前記BSC 410を介して前記移動端末機10にIP住所を割り当てる（S310、S311）。このような段階 S306 乃至 S311の過程、即ち、端末の位置登録及びこれによるIP住所割当て過程は、前記AAA 440と連関した過程を除いて図 1を参照に説明した前記段階 S201乃至 S206の過程のように行われるので、その部分の説明を参照するようにする。
【００２５】
次いで、前記移動端末機10が現在接続され属している前記 PDSN 420は、 前記段階 S311の過程遂行と併せて前記登録応答で現在の前記移動端末機10に対する位置を把握（即ち、いずれの基地局領域に属しているかなどを把握）し、該当領域にあるアクセスポイント（以下、APと称する）510に対する該当管理装置としてのアクセスポイント管理装置（以下、APMと称する）520に前記移動端末機10の現在接続状態を知らせるようにするが、その方法は図 5のように構成された接続インフォーム（Con-Inform）メッセージを利用する（S312）。
【００２６】
前記接続インフォームメッセージは、図 5に示したように、本発明に係るプロトコルバージョンを示すバージョン情報（Version）とその長さ（例えば、1 バイト）、該当メッセージの区別子を示す情報（Identifier）とその長さ（例えば、2バイト）、該当パケットの長さを示す情報（Length）とその長さ（例えば、2バイト）、現在メッセージ伝送者の住所情報（Sender IP address）とその住所の長さ（address length）、現在接続（association）されたクライアントマック（client MAC）住所に対する情報（Client-MAC address）とその住所の長さの情報（address length）、利用者のID 情報（User ID）とその長さ（ID length）、利用者のNAI情報（User NAI）とその長さ（NAI length）、利用者のパスワード情報（User password）とその長さの情報（Password length）、0から2048までのシーケンスナンバーを示すシーケンスナンバー情報（Sequence Number）とその情報の長さ（例えば、2 バイト）、及びその他情報（Others）でなっている。
【００２７】
以後、前記移動端末機10が無線ランの領域へ移動して接続されると、前記 AP 510と前記APM 520を介し802.1x 認証のみを行うようにする（S313、S314）。この時、前記段階 S312で受けた前記移動端末機10に対する情報が前記 APM 520にあれば、自分の住所をシーオーエー（COA : Care Of Address）にして前記 HA 430にバインディング（Binding）テーブルを更新するよう要請する（Roam Registration）（S315）。
【００２８】
次いで、前記APM 520は前記移動端末機10の要求に伴いその移動端末機10の管理のため、自分により前記段階 S315で更新され割り当てられたIP 住所を送るが、これは前記APM 520から前記移動端末機10までデータを送るため必要な住所である（DHCP request & response）（S316）。
【００２９】
これから前記APM 520は、前記段階S312過程でデータを送ってきた前記 PDSN 420にローミングが行われたことを図 6のように構成された接続ノーティファイ（Con-Notify）メッセージを利用して知らせる（S317）。
【００３０】
前記接続ノーティファイメッセージは、図 6に示したように、本発明に係るプロトコルバージョンを示すバージョン情報（Version）とその長さ（例えば、 1バイト）、該当メッセージの区別子を示す情報（Identifier）とその長さ（例えば、2バイト）、該当パケットの長さの情報（Length）とその長さ（例えば、2バイト）、現在メッセージ伝送者の住所情報（Sender IP address）とその住所の長さ（address length）、コネクション（connection）登録に対する情報（Connection−context）とその長さ（context length）、0から2048までのシーケンスナンバーを示すシーケンスナンバー情報（Sequence Number）とその情報の長さ（例えば、2 バイト）、及びその他情報（Others）でなっている。
【００３１】
最後に、前記PDSN 420は前記段階 S317で前記接続ノーティファイメッセージを受けると、前述したローミングの間に得られたデータを前記APM 520に伝達する（Interval data forwarding）（S318）。
【００３２】
図4を参照して無線ランからセルラー網へのローミング方法を説明する。
先ず、無線ラン内に位置した移動端末機10は前記アクセスポイント510に接続（association）された後（S601）、801.1xの認証手続きに従って前記 AAA 440を介した認証手続きを行う（S602）。
【００３３】
次いで、前記移動端末機10に具備されたモバイル IPスタックは、IP 住所を割り当てられるための手続きを前記APM 520と相互行う（MIP solicitation & advertisement）（S603）。
【００３４】
前記段階S603のようにモバイル IPと関連したプロトコルを行った後、前記移動端末機10はエヌエーアイ（NAI）値、アイディー（ID）、パスワード（Password）などを利用して前記APM 520を介し前記HA 430側へ自分の位置登録を要請すれば（Registration Request）（S604、S605）、前記HA 430は前記 AAA 440にアクセス要請メッセージ（Access Request）を送って課金を開始するようにし（S606）、それに対する応答メッセージ（Access Response）を受ける（S607）。次いで、前記過程の結果として前記 AAA 440と前記 HA 430から使用者認証及びモバイルIP登録が成功的であれば、前記HA 430は前記段階 S604と S605に対する応答で前記APM 520と前記AP 510を介し前記移動端末機10にIP住所を割り当てる（S608、S609）。
【００３５】
前述した段階 S604乃至 S609の過程、即ち、端末の位置登録及びこれに伴う IP住所割当て過程は、図 1の前記段階 S306乃至 S311の過程と同一である。 即ち、本発明の実施例で無線ランの構成ノードとしての前記 AP 510と前記 APM 520は、セルラー網の構成ノードとしての前記基地局／BSC 410と前記 PDSN 420と各々同一／類似する機能を行う。
【００３６】
次いで、前記移動端末機10が現在接続され属している前記 APM 520は、前記段階 S609の過程遂行と併せて前記登録応答で現在の前記移動端末機10に対する位置を把握（即ち、AP領域に属しているかなどを把握）し、該当領域にある基地局／BSC 410に対する該当PDSN 420に前記移動端末機10の現在接続状態を知らせるようにするが、その方法は図 5のように構成された接続インフォーム（Con-Inform）メッセージを利用する（S610）。
【００３７】
以後、前記移動端末機10がセルラー網の領域へ移動すれば、図 3の前記段階 S301乃至 S303と同一の過程として、セルラー網内に位置した前記移動端末機10は前記BSC 410と前記 PDSN 420を介してチャンネルセットアップ及び R−Pセットアップを行い（S611、S612）、次いで、前記移動端末機10と前記 PDSN 420は相互ポイントツーポイントプロトコル（Point-to-Point Protocol : PPP）認証を行う（S613）。
【００３８】
この時、前記段階 S610で受けた前記移動端末機10に対する情報が前記PDSN 420にあれば、自分の住所をシーオーエー（COA : Care Of Address）にして前記 HA 430にバインディング（Binding）テーブルを更新するよう要請する（Roam Registration）（S614）。この過程は、図3の前記段階S315と対応する過程である。
【００３９】
次いで、前記PDSN 420は前記移動端末機10の要求に従いその移動端末機10の管理のため、自分により前記段階 S614で更新され新たに割り当てられたIP 住所を送るが、これは前記PDSN 420から前記移動端末機10までデータを送るため必要な住所である（DHCP request & response）（S615）。
【００４０】
これから前記PDSN 420は、前記段階S610過程でデータを送ってきた前記APM 520にローミングが行われたことを図 6のように構成された接続ノーティファイ（Con-Notify）メッセージを利用して知らせ（S616）、終りに、前記APM 520は前記段階 S616で前記接続ノーティファイメッセージを受けると前述したローミングの間に得られたデータを、前記PDSN 420に伝達する（Interval data forwarding）（S617）。このような前記段階 S615乃至617の過程は、図3の前記段階 S316乃至S318の過程に対応する過程である。
【００４１】
本発明は前述した実施例に限定されず、無線ランの使用周波数が5GHz帯域の802.11aを用いてもそのまま適用することができる等、本発明が技術的思想を外れない範囲内で多様に応用実施することができるはずである。
【産業上の利用可能性】
【００４２】
以上詳しく説明したように、本発明に係る公衆無線ランとセルラー網の間のローミング方法によれば、既存の方法よりローミングに必要な時間を短縮させることにより実時間サービスにより適するローミングを支援することができ、 ローミングが行われる過程でできるだけデータ損失を防止することができる。 即ち、本発明はデータの損失を最少化するだけでなく、ローミングに要求される時間を短縮させる効果を創出する。
【図面の簡単な説明】
【００４３】
【図１】本発明の基盤となるモバイルIP方式の概念を説明するフロー図。
【図２】図 1のようにモバイルIPに基づいて動作するセルラー網と連動するための無線ランが、独立的に動作する時の概念を説明するためのフロー図。
【図３】本発明の一実施例に係る公衆無線ランとセルラー網の間のローミング方法で、図 1のようなセルラー網から図2のような無線ランへローミングする場合の網間相互連動方法を説明するフロー図。
【図４】本発明の一実施例に係る公衆無線ランとセルラー網の間のローミング方法で、図2のような無線ランから図1のようなセルラー網へローミングする場合の網間相互連動方法を説明するフロー図。
【図５】図3及び図4で生成伝送される接続インフォーム（Con-Inform） メッセージのフォーマット（Format）を示す図。
【図６】図3及び図4で生成伝送される接続ノーティファイ（Con-Notify）メッセージのフォーマット（Format）を示す図。
【符号の説明】
【００４４】
10 : デュアルモード移動端末機           410 : 基地局含み基地局制御器
420 : パケットデータサービングノード    430 : ホームエージェント
440 : 認証／課金サーバー                510 : アクセスポイント
520 : アクセスポイント管理装置
【図１】
2005527145.tif 000003
【図２】
2005527145.tif 000004
【図３】
2005527145.tif 000005
【図４】
2005527145.tif 000006
【図５】
2005527145.tif 000007
【図６】
2005527145.tif 000008
【国際調査報告】
2005527145.tif 000009
2005527145.tif 000010